(57)【要約】【課題】交換式ファインダ装置の接続を確実に検知可能なカメラシステムを提供する。【解決手段】カメラ本体は、交換式ファインダ装置への電源供給を制御するための電源制御手段を有し、アクセサリ接続部には、電源供給のための電源供給用接点と交換式ファインダ装置の装着検知のためのファインダ検知用接点とが設けられ、交換式ファインダ装置は、被写体を光学的に確認するためのファインダ光学系と撮影情報を表示するための表示手段とデータ通信を制御するためのファインダ側通信制御手段とを有し、アクセサリ接続部を介してカメラ本体と着脱自在に装着可能であり、ファインダ検知用接点により交換式ファインダ装置の装着が検知されると、カメラ側通信制御手段は、交換式ファインダ装置用のデータ通信モードに設定し、電源制御手段は、交換式ファインダ装置への電源供給を開始する。【選択図】  図２
2014119522.tif 000002
【特許請求の範囲】
【請求項１】
外部ストロボ装置とデータ通信するためのデータ通信用接点を備えたアクセサリ接続部と、データ通信を制御するためのカメラ側通信制御手段と、を有するカメラ本体と、
被写体を光学的に確認するためのファインダ光学系と、撮影情報を表示するための表示手段と、データ通信を制御するためのファインダ側通信制御手段と、を有し、前記アクセサリ接続部を介して前記カメラ本体と着脱自在に装着可能な交換式ファインダ装置と、
からなるカメラシステムにおいて、
前記カメラ本体は、さらに、前記交換式ファインダ装置への電源供給を制御するための電源制御手段を有し、
前記アクセサリ接続部には、さらに電源供給のための電源供給用接点と、前記交換式ファインダ装置の装着検知のためのファインダ検知用接点と、が設けられ、
前記ファインダ検知用接点により前記交換式ファインダ装置の装着が検知されると、前記カメラ側通信制御手段は、前記交換式ファインダ装置用のデータ通信モードに設定し、前記電源制御手段は、前記交換式ファインダ装置への電源供給を開始することを特徴とするカメラシステム。
【請求項２】
前記ファインダ検知用接点は、前記交換式ファインダ装置に設けられた押圧手段による押圧によって前記交換式ファインダ装置の装着を検知することを特徴とする請求項１記載のカメラシステム。
【請求項３】
前記カメラ側通信制御手段は、前記交換式ファインダ装置用のデータ通信モードに設定されると、前記交換式ファインダ装置に対して応答要求コマンドの送信を開始し、
前記ファインダ側通信制御手段は、前記応答要求コマンドを受信すると、前記カメラ本体に対してアンサーを送信し、
前記アンサーを受信した前記カメラ側通信手段は、前記表示手段に表示するための前記撮影情報の送信を開始することを特徴とする請求項１又は２に記載のカメラシステム。
【請求項４】
前記カメラ側通信制御手段は、前記交換式ファインダ装置の非装着時においては前記外部ストロボ装置用のデータ通信モードであり、前記ファインダ検知用接点による前記交換式ファインダ装置の装着検知に応じて、データ通信モードを前記外部ストロボ装置用から前記交換式ファインダ装置用に切り替えることを特徴とする請求項１乃至３のいずれか一項に記載のカメラシステム。
【発明の詳細な説明】
【技術分野】
【０００１】
本発明は、
カメラ本体及び、カメラ本体と接続可能な交換式ファインダ装置からなるカメラシステムに関し、より詳細には、交換式ファインダ装置の接続を確実に検知可能なカメラシステムに関する。
【背景技術】
【０００２】
光学式ファインダを有さないコンパクトデジタルカメラに対して取り付け可能な交換式ファインダが従来より存在している。このような交換式ファインダは、いわゆるアクセサリシューを介してデジタルカメラに取り付けられるのが一般的である。
【０００３】
このような技術として、本出願人は過去に、アクセサリシューに装着可能で、個別の接点を設けず、既存のシュー接点によってカメラと通信を行うことで撮影情報を表示することのできる外付けファインダを特許出願している（特許文献１）。
【先行技術文献】
【特許文献】
【０００４】
【特許文献１】特願２０１２−１７３９７９号
【発明の概要】
【発明が解決しようとする課題】
【０００５】
通常、カメラのシュー接点は、フラッシュとの間でシンクロ発光用の通信を行うために設けられているものである。そのため、カメラのアクセサリシューにフラッシュが装着された場合には、カメラは当然シュー接点を介してフラッシュと正常な通信を行うことができる。
【０００６】
ここで、アクセサリシューに対して上記特許文献１に開示したような外付けファインダを装着する場合を考える。このような場合には、アクセサリシューには少なくとも２種類のアクセサリが装着されることになるので、カメラ側ではアクセサリシューに何が装着されたのかということを判別する必要が生じる。
【０００７】
何故なら、カメラは装着されたアクセサリの種類に応じて異なる通信モードを用いる必要があるからである。そのため、カメラが装着されたアクセサリの種類を正確に判別できなければ、アクセサリとの間で適切な通信を行うことができず、撮影に支障をきたすことになる。
【０００８】
しかしながら、特許文献１に記載の発明においては、装着されたアクセサリが何であるのかを検知する方法について考慮されておらず、課題が残っていた。
【０００９】
本発明はこのような状況に鑑みてなされたものであり、交換式ファインダ装置の接続を確実に検知可能なカメラシステムを提供することを目的とする。
【課題を解決するための手段】
【００１０】
上記目的を達成するために、本発明を実施のカメラシステムは、外部ストロボ装置とデータ通信するためのデータ通信用接点を備えたアクセサリ接続部と、データ通信を制御するためのカメラ側通信制御手段と、を有するカメラ本体と、被写体を光学的に確認するためのファインダ光学系と、撮影情報を表示するための表示手段と、データ通信を制御するためのファインダ側通信制御手段と、を有し、アクセサリ接続部を介してカメラ本体と着脱自在に装着可能な交換式ファインダ装置と、からなるカメラシステムにおいて、カメラ本体は、さらに、交換式ファインダ装置への電源供給を制御するための電源制御手段を有し、アクセサリ接続部には、さらに電源供給のための電源供給用接点と、交換式ファインダ装置の装着検知のためのファインダ検知用接点と、が設けられ、ファインダ検知用接点により交換式ファインダ装置の装着が検知されると、カメラ側通信制御手段は、交換式ファインダ装置用のデータ通信モードに設定し、電源制御手段は、交換式ファインダ装置への電源供給を開始することを特徴とする。
【００１１】
さらに本発明を実施のカメラシステムは、上記発明において、ファインダ検知用接点は、交換式ファインダ装置に設けられた押圧手段による押圧によって交換式ファインダ装置の装着を検知することを特徴とする。
【００１２】
さらに本発明を実施のカメラシステムは、上記発明において、カメラ側通信制御手段は、交換式ファインダ装置用のデータ通信モードに設定されると、交換式ファインダ装置に対して応答要求コマンドの送信を開始し、ファインダ側通信制御手段は、応答要求コマンドを受信すると、カメラ本体に対してアンサーを送信し、アンサーを受信したカメラ側通信手段は、表示手段に表示するための撮影情報の送信を開始することを特徴とする。
【００１３】
さらに本発明を実施のカメラシステムは、上記発明において、カメラ側通信制御手段は、交換式ファインダ装置の非装着時においては外部ストロボ装置用のデータ通信モードであり、ファインダ検知用接点による交換式ファインダ装置の装着検知に応じて、データ通信モードを外部ストロボ装置用から交換式ファインダ装置用に切り替えることを特徴とする。
【発明の効果】
【００１４】
本発明を実施のカメラシステムによれば、交換式ファインダ装置の接続を確実に検知でき、適切な通信を確実に行うことができる。
【図面の簡単な説明】
【００１５】
【図１】本発明の一実施形態であるカメラシステムを構成するカメラ本体と交換式ファインダ装置の主要な構成を示したブロック図である。
【図２】図１に示したカメラ本体と交換式ファインダ装置との間の接続を説明するためのブロック図である。
【図３】カメラ本体と交換式ファインダ装置との間でデータ通信が開始されるまでの流れを説明するためのフローチャートである。
【図４】交換式ファインダ装置内のファインダＬＣＤの表示例である。
【発明を実施するための形態】
【００１６】
以下、添付の図面に従って、本発明を実施するための最良の形態について説明する。なお、この実施の形態により本発明が限定されるものではない。
【００１７】
図１に示すブロック図には、本発明の一実施形態であるカメラシステムを構成するカメラ本体と交換式ファインダ装置の主要な構成が示されている。まず、図１を用いて本実施形態のカメラシステムの構成について説明する。
【００１８】
交換式ファインダ装置１は主な構成として以下を有している。２はファインダＣＰＵ、３はファインダＬＣＤ、４は接眼レンズ、５はプリズム、６はファインダ光学系、７はファインダ側接続部である。
【００１９】
また、カメラ本体８は主な構成として以下を有している。９はカメラ側接続部、１０はカメラＣＰＵ、１１は撮像光学系、１２は絞りユニット、１３はＡＥセンサ、１４はシャッタユニット、１５はイメージャ、１６は背面ＬＣＤ、１７は操作手段、１８はバッテリである。
【００２０】
交換式ファインダ装置１は、カメラ本体８に装着することで、被写体及び撮影情報を確認することができる交換式ファインダである。
【００２１】
ファインダＣＰＵ２は交換式ファインダ装置１の制御を行うＣＰＵである。ファインダＣＰＵ２は、ファインダ側接続部７とカメラ側接続部９とを介して、カメラＣＰＵ１０から各種の撮影情報信号を受け取り、これらの撮影情報信号を、後述のファインダＬＣＤ３の表示形式に処理して、ファインダＬＣＤ３に送信する。
【００２２】
カメラＣＰＵ１０から受信する各種の撮影情報信号は、未処理のものである。これは、交換式ファインダ装置１内にファインダＣＰＵ２が設けられており、ファインダＣＰＵ２において、かかる撮影情報信号をファインダＬＣＤ３の表示形式に処理することができ、カメラＣＰＵ１０側でファインダＬＣＤ３の表示形式に処理する必要がないからである。
【００２３】
ファインダＬＣＤ３は、前述の通り、カメラＣＰＵ１０からファインダＣＰＵ２が受信し、表示形式に処理した各種の撮影情報を表示する液晶表示装置である。本実施例において、表示される撮影情報とは、Ｆ値、露出補正値、ＩＳＯ感度である。
【００２４】
また、本実施例において、ファインダＬＣＤ３は、セグメント式の液晶表示装置である。このファインダＬＣＤ３は、数字は主に一般的な７セグメント形式で表示し、数字以外の表示や、表示情報の種類などの表示は、位置や形状ごとにパターンとして固定している。すなわち、前述のファインダＣＰＵ２がカメラＣＰＵ１０から受信した未処理の撮影情報信号をファインダＬＣＤ３の表示形式に処理する際には、セグメント形式の表示の信号に処理することとなる。従って、かかる信号とは、どのセグメントを点灯させ、どのセグメントを消灯するかというオンとオフの信号である。
【００２５】
接眼レンズ４は、撮影者が被写体像と各種の撮影情報を確認するためのものであり、被写体像と撮影情報は、この接眼レンズ４を介して撮影者の眼に達する。
【００２６】
プリズム５は、後述するファインダ光学系６からの光とファインダＬＣＤ３に表示された各種の撮影情報の光とを合成するためのプリズムである。
【００２７】
ファインダ光学系６は、被写体像を結像させるための光学系である。ファインダ光学系６は、複数の光学素子から構成されている。このファインダ光学系６によって、交換式ファインダ装置１は、被写体のスルー画像を表示するためのＬＣＤを用いずに被写体像を撮影者の眼に届けることができる。
【００２８】
ファインダ側接続部７の構成については後述する。
【００２９】
カメラ本体８は、フラッシュ装置やファインダ装置などのアクセサリを装着することのできるカメラである。
【００３０】
カメラ側接続部９の構成については後述する。
【００３１】
カメラＣＰＵ１０は、カメラ本体８内の各種デバイスの制御を行うＣＰＵである。各種の撮影情報信号はカメラＣＰＵ１０に送信され、カメラＣＰＵ１０はこれらの撮影情報信号をファインダ側接続部７とカメラ側接続部９とを介して、ファインダＣＰＵ２に送信する。
【００３２】
撮像光学系１１は、後述するイメージャ１５に被写体像を結像させるため、複数の光学素子から構成される光学系である。
【００３３】
絞りユニット１２は、前述のカメラＣＰＵ１０の制御により、撮影者の指示又は自動で絞り径を調節する。撮影時の絞り径の情報は、カメラＣＰＵ１０からファインダ側接続部７とカメラ側接続部９とを介して、ファインダＣＰＵ２に未処理の撮影情報として送信される。
【００３４】
ＡＥセンサ１３は、被写体の明るさを検出するセンサである。このＡＥセンサ１３が検出した撮影時の被写体の明るさ情報は、カメラＣＰＵ１０からファインダ側接続部７とカメラ側接続部９とを介して、ファインダＣＰＵ２に未処理の撮影情報として送られる。
【００３５】
シャッタユニット１４は、像面のすぐ近くに設置されたフォーカルプレーンシャッタである。
【００３６】
イメージャ１５は、半導体製造技術を用いて集積回路化されたＣＣＤやＣＭＯＳのイメージャである。
【００３７】
背面ＬＣＤ１６は、撮影画像や被写体像を表示して確認することができる表示装置である。
【００３８】
操作手段１７は、例えばレリーズボタンや十字ボタンなど、撮影者がカメラ本体８の操作を行うための操作部材である。
【００３９】
バッテリ１８は、カメラ本体８の駆動に必要な電力を供給する。
【００４０】
次に、図２を用いて交換式ファインダ装置１とカメラ本体８の接続について説明する。図２は、図１に示したカメラシステムにおいてファインダ側接続部７とカメラ側接続部９との間の接続を説明するためのブロック図である。
【００４１】
カメラ側接続部９は、いわゆるアクセサリシューとして知られる不図示の機械的接続構造を有しており、ファインダ側接続部７もその接続構造と接続可能な不図示の機械的接続構造を有している。それらの接続構造の機械的な接続により、交換式ファインダ装置１がカメラ本体８に固定される。
【００４２】
ファインダ側接続部７は、カメラ本体８との間の接点として、ファインダ側シュー接点１９及びファインダ側電源供給用接点２０を有しており、それらはファインダＣＰＵ２と接続されている。ファインダ側シュー接点１９には、ＣＬＯＣＫ、ＩＮＰＵＴ、ＯＵＴＰＵＴの３線が設けられている。
【００４３】
また、ファインダ側接続部７には、カメラ側接続部９と接触する位置にカメラ側に突設された押圧部２１を有している。押圧部２１の働きについては後述する。
【００４４】
一方、カメラ側接続部９には、上述したファインダ側の各接点と対応するようにカメラ側シュー接点２２及びカメラ側電源供給用接点２３が設けられており、それらはカメラＣＰＵ１０と接続されている。カメラ側シュー接点２２にも同様に、ＣＬＯＣＫ、ＩＮＰＵＴ、ＯＵＴＰＵＴの３線が設けられている。
【００４５】
また、カメラ側接続部９には、ファインダ側接続部７の押圧部２１に対応する位置に検出スイッチ２４が設けられている。この検出スイッチ２４はカメラＣＰＵ１０と接続されており、押圧部２４による押圧を検出することができる。そのため、カメラ側接続部９に装着されたアクセサリが本発明に係る交換式ファインダ装置１であった場合には、カメラ側接続部９に設けられた検出スイッチ２４がファインダ側接続部７に設けられた押圧部２１によって押圧され、検出信号がカメラ側ＣＰＵ１０に出力される。
【００４６】
また、交換式ファインダ装置１がカメラ本体８に装着されると、双方の各端子が互いに対応する端子と電気的に接続することになる。これにより、双方のシュー接点を介して各種の撮影情報信号がファインダＣＰＵ２に送信可能となる。さらに、双方の電源供給用接点を介して交換式ファインダ装置１を駆動するための電力がファインダＣＰＵ２に供給可能となる。
【００４７】
次に、図３を用いて交換式ファインダ装置１の装着検知について説明する。図３は、図１に示したカメラシステムにおいて交換式ファインダ装置１とカメラ本体８との間でデータ通信が開始されるまでの流れを説明するためのフローチャートである。
【００４８】
カメラ本体８の制御を行うカメラＣＰＵ１０は、通常時には常にフラッシュ装置の検出を行っている。そのため、カメラＣＰＵ１０は定期的にカメラ側シュー接点２２に対して「フラッシュ装着？」コマンドを定期的に送信しており、接続されるフラッシュ装置に対してアンサーを要求している（ステップＳ００１）。
【００４９】
カメラ側接続部９にフラッシュ装置が接続されれば、そのフラッシュ装置は「フラッシュ装着？」コマンドに対するアンサーを双方のシュー接点を介してカメラＣＰＵ１０に送信する。カメラＣＰＵ１０はフラッシュ装置からのアンサーを受信したかどうかの判定を行う（ステップＳ００３）。
【００５０】
フラッシュ装置からのアンサーを受信していた場合には、カメラＣＰＵ１０はカメラ側接続部９にフラッシュ装置が装着されていると判断し、フラッシュ制御用の通信モードを開始する（ステップＳ００５）。フラッシュ用通信モードが開始されると、カメラＣＰＵ１０はフラッシュ装置と協働してフラッシュ発光するための公知の通信を行う。
【００５１】
ステップＳ００３においてフラッシュ装着からのアンサーが受信されなかった場合には、カメラＣＰＵ１０はカメラ側接続部９に設けられている検出スイッチ２４が押圧されているかの判断を行う（ステップＳ００７）。そして、検出スイッチ２４が押圧されていなかった場合には、カメラＣＰＵ１０はカメラ側接続部９には何のアクセサリも接続されていないと判断し、通常撮影モードを維持する（ステップＳ００９）。
【００５２】
一方で、ステップＳ００７において検出スイッチ２４の押圧がカメラＣＰＵ１０によって検出された場合には、カメラＣＰＵ１０はアクセサリとして本発明に係る交換式ファインダ装置１が装着された可能性があると判断し、ファインダ制御用の通信モードを開始する（ステップＳ０１１）。
【００５３】
即ち、ファインダ用通信モードが開始されると、カメラＣＰＵ１０は交換式ファインダ装置１のための給電を開始する（ステップＳ０１３）。これにより、ファインダＣＰＵ２はカメラ側電源供給用接点２３とファインダ側電源供給用接点２０とを介してカメラＣＰＵ１０から電源が供給され、起動する。
【００５４】
続けて、カメラＣＰＵ１０はカメラ側シュー接点２２に対して「ファインダ装着？」コマンドを送信する（ステップＳ０１５）。ここで、検出スイッチ２４の押圧が本発明に係る交換式ファインダ装置１の接続によるものであれば、交換式ファインダ装置１は上記ステップＳ０１３において開始された電源供給によって起動しているので、ファインダＣＰＵ２はカメラＣＰＵ１０からの「ファインダ装着？」コマンドを受信し、これに対するアンサーを返すことができる。その結果、カメラＣＰＵ１０は交換式ファインダ装置１からアンサーを受信する（ステップＳ０１７）。
【００５５】
アンサーを受信したカメラＣＰＵ１０は、装着されたアクセサリが本発明に係る交換式ファインダ装置１であると最終的に判断し、交換式ファインダ装置１を制御するための通信を開始する（ステップＳ０１９）。具体的には、カメラＣＰＵ１０はファインダＣＰＵ２に対して、ファインダ側接続部７とカメラ側接続部９とを介して各種の撮影情報信号の送信を開始する。これによりファインダＣＰＵ２に送られた各種撮影情報信号は、ファインダＬＣＤ３の表示形式に合うようにファインダＣＰＵ２内で処理され、ファインダＬＣＤ３に送信されて表示される。
【００５６】
一方で、検出スイッチ２４の押圧がゴミ等の異物によるものであった場合には、交換式ファインダ装置１は装着されていないのであって、カメラＣＰＵ１０は当然アンサーを受信することはない。所定の時間が経過してもアンサーを受信できないときは、カメラＣＰＵ１０は上述したステップＳ０１５に戻り再度「ファインダ装着？」コマンドを送信する。さらに、所定の回数だけコマンドを送信してもアンサーを受信できないときは、カメラＣＰＵ１０はアクセサリとして交換式ファインダ装置１が装着されていないと判断して、電源供給接点を介した給電を終了しステップＳ００１に戻る。
【００５７】
以上のように、押圧部２１と検出スイッチ２４との組み合わせによるファインダ装着の装着検知と、双方のＣＰＵ間のコマンドとアンサーの送受信によるファインダ装置の装着検知とを用いた２段階の検知ステップを踏む構成とすることにより、本発明に係るカメラシステムでは、装着されたアクセサリがファインダ装置であることを高精度に判別することが可能となる。
【００５８】
図４は、本発明を実施のカメラシステムにおいてファインダＬＣＤ３の表示内容を示している。図中において、領域ＡはＦ値、領域Ｂは露出補正値、領域ＣはＩＳＯ感度の表示部分である。領域Ｄには、交換式ファインダ装置１の接眼レンズ４から観察した際に、ファインダ光学系６を透過した被写体像が表示される。
【００５９】
前述の通り、Ｆ値や露出補正値やＩＳＯ感度の数値は主に７セグメントの形式で表示される。また、露出補正値がプラスかマイナスかについてや、ＩＳＯがオートか否かなどは、領域Ｂや領域Ｃにも示すように固定パターンのセグメントによって表示される。
【００６０】
ファインダＬＣＤ３に表示された撮影情報は、プリズム５によって、ファインダ光学系６により結像される被写体像に重ねられる形で接眼レンズ４から撮影者の眼へと届けられる。
【００６１】
なお、上述した実施例では、カメラ側シュー接点２２は特許請求の範囲に記載のデータ通信用接点に相当し、カメラ側接続部９は特許請求の範囲に記載のアクセサリ接続部に相当し、カメラＣＰＵ１０は特許請求の範囲に記載のカメラ側通信制御手段及び電源制御手段に相当し、検出スイッチ２４は特許請求の範囲に記載のファインダ検知用接点に相当し、ファインダＣＰＵ２は特許請求の範囲に記載のファインダ側通信制御手段に相当し、押圧部２１は特許請求の範囲に記載の押圧手段に相当する。
【符号の説明】
【００６２】
１      交換式ファインダ装置
２      ファインダＣＰＵ
３      ファインダＬＣＤ
４      接眼レンズ
５      プリズム
６      ファインダ光学系
７      ファインダ側接続部
８      カメラ本体
９      カメラ側接続部
１０    カメラＣＰＵ
１１    撮像光学系
１２    絞りユニット
１３    ＡＥセンサ
１４    シャッタユニット
１５    イメージャ
１６    背面ＬＣＤ
１７    操作手段
１８    バッテリ
１９    ファインダ側シュー接点
２０    ファインダ側電源供給用接点
２１    押圧部
２２    カメラ側シュー接点
２３    カメラ側電源供給用接点
２４    検出スイッチ
【図１】
2014119522.tif 000003
【図２】
2014119522.tif 000004
【図３】
2014119522.tif 000005
【図４】
2014119522.tif 000006